(57)【要約】【課題】洗濯槽内に温水を貯めて洗濯する洗濯機において、上部枠体の内側や蓋体の裏側の結露が機外に滴下し、使用者に不快感を与えないようにする。【解決手段】本体１１と、水槽１３と、水槽１３に回転自在に内包された洗濯兼脱水槽１５と、本体１１上部に取り付けられ略中央に洗濯物を出し入れする衣類投入口２６を有する上部枠体２５と、上部枠体２５に回動可能に取り付けられ、衣類投入口２６を開閉可能に覆う蓋体２７と、を備える。蓋体２７は、上部を構成する上部蓋枠体２７ａと、上部蓋枠体の下方周囲に配設され縦断面において略凹状に形成された下部蓋枠体２７ｂと、を有する。上部枠体２５の上面は、衣類投入口２６に向けて下向きに傾斜する。下部蓋枠体２７ｂの両側底面は、内方に向けて下向きに傾斜する。上部枠体２５の上面と蓋体２７の底面との間には所定の隙間を有する。【選択図】図４
2018117822.tif 000002
【特許請求の範囲】
【請求項１】
温水での洗濯が可能な洗濯機であって、
筐体と、
前記筺体内部に防振支持された水槽と、
前記水槽に回転自在に内包された洗濯兼脱水槽と、
前記筐体の上部に取り付けられ略中央に洗濯物を出し入れする衣類投入口を有する上部枠体と、
前記上部枠体に回動可能に取り付けられ、前記衣類投入口を開閉可能に覆う蓋体と、を備え、
前記蓋体は、上部を構成する上部蓋枠体と、前記上部蓋枠体の下方周囲に配設され縦断面において略凹状に形成された下部蓋枠体と、を有し、
前記上部枠体の上面は、前記衣類投入口に向けて下向きに傾斜し、前記下部蓋枠体の両側底面は、内方に向けて下向きに傾斜し、
前記蓋体が閉状態において、前記上部枠体の上面と前記蓋体の底面との間には所定の隙間を有する洗濯機。
【請求項２】
前記蓋体が閉状態において、前記下部蓋枠体底面の外方端部が、前記上部枠体の前記上面の外方端部よりも前記衣類投入口側に位置するよう構成した請求項１に記載の洗濯機。
【請求項３】
前記上部枠体は、前記上面の内方端部から前記衣類投入口に向けて下向き傾斜面を有する請求項１または２に記載の洗濯機。
【請求項４】
前記蓋体が閉状態において、前記下部蓋枠体底面の内方端部は、前記上部枠体の前記上面の内方端部よりも前記衣類投入口側に位置するよう構成した請求項１〜３のいずれか１項に記載の洗濯機。
【請求項５】
前記蓋体閉状態において、前記蓋体は、前方に向けて下向きに傾斜しており、前記隙間の幅は、前方から後方に向かって徐々に広くなるよう構成した請求項１〜４のいずれか１項に記載の洗濯機。
【請求項６】
前記蓋体が閉状態において、前記下部蓋枠体と前記上部枠体の前記上面とが当接するよう構成した請求項５に記載の洗濯機。
【請求項７】
前記水槽及び前記洗濯兼脱水槽内の洗濯水を加熱するための加熱手段を前記水槽下部に設けた請求項１〜６のいずれか１項に記載の洗濯機。
【請求項８】
前記水槽および前記洗濯兼脱水槽内に温水を供給するよう構成した請求項１〜６のいずれか１項に記載の洗濯機。
【発明の詳細な説明】
【技術分野】
【０００１】
本発明は、温水での洗濯が可能な洗濯機に関するものである。
【背景技術】
【０００２】
特許文献１は、洗濯機の内槽内の蒸気を洗濯機の外へ排気する洗濯機を開示する。この洗濯機は、外槽内に回転自在に配設した内槽と、外槽を防振支持する筐体と、筐体の上部に設けた上部枠体と、上部枠体に設けた衣類投入口を覆う蓋体とを備える。蓋体の外方部近傍の裏面には、下方に凸形状のリブが所定の間隔で複数個設けられている。内槽内で発生した蒸気は、上部枠体と蓋体の間に形成された隙間から、洗濯機の外へ排気される（例えば、特許文献１参照）。
【先行技術文献】
【特許文献】
【０００３】
【特許文献１】特開２００４−３３７２０３号公報
【発明の概要】
【発明が解決しようとする課題】
【０００４】
しかしながら、前記従来の構成では、内槽内から排気される蒸気が結露して蓋体の裏側に付着した結露水が、洗濯機の外へ滴下することにより、使用者に不快感を与えてしまう虞があった。
【０００５】
本発明は、上記従来の課題を解決するもので、内槽内から排気される蒸気が結露して蓋体の裏側に付着した場合でも、結露水が洗濯機の外へ滴下することを抑制し、使用者に不快感を与えない洗濯機を提供することを目的とする。
【課題を解決するための手段】
【０００６】
前記従来の課題を解決するために、本発明の洗濯機は、温水での洗濯が可能な洗濯機であって、筐体と、前記筺体内部に防振支持された水槽と、前記水槽に回転自在に内包された洗濯兼脱水槽と、前記筐体の上部に取り付けられ略中央に洗濯物を出し入れする衣類投入口を有する上部枠体と、前記上部枠体に回動可能に取り付けられ、前記衣類投入口を開閉可能に覆う蓋体と、を備え、前記蓋体は、上部を構成する上部蓋枠体と、前記上部蓋枠体の下方周囲に配設され縦断面において略凹状に形成された下部蓋枠体と、を有し、前記上部枠体の上面は、前記衣類投入口に向けて下向きに傾斜し、前記下部蓋枠体の両側底面は、内方に向けて下向きに傾斜し、前記蓋体が閉状態において、前記上部枠体の上面と前記蓋体の底面との間には所定の隙間を有することにより、洗濯兼脱水槽内から排気される蒸気が結露し蓋体の裏側に付着した場合でも、結露水が洗濯機の外へ滴下することを抑制できる。
【発明の効果】
【０００７】
本発明の洗濯機は、内槽内から排気される蒸気が蓋体の裏側で結露した場合でも、結露水が洗濯機の外へ滴下することを抑制することができる。
【図面の簡単な説明】
【０００８】
【図１】本発明の形態１における洗濯機の縦断面図
【図２】本実施の形態１における洗濯機の上部枠体と蓋体の要部前後縦断面図
【図３】本実施の形態１における洗濯機の上部枠体と蓋体の要部左右縦断面図
【図４】図３の要部拡大図
【図５】本実施の形態１における洗濯機の上部枠体と蓋体の上面図
【図６】本実施の形態１における洗濯機の上部枠体と蓋体の側面図
【発明を実施するための形態】
【０００９】
第１の発明は、温水での洗濯が可能な洗濯機であって、筐体と、前記筺体内部に防振支持された水槽と、前記水槽に回転自在に内包された洗濯兼脱水槽と、前記筐体の上部に取り付けられ略中央に洗濯物を出し入れする衣類投入口を有する上部枠体と、前記上部枠体に回動可能に取り付けられ、前記衣類投入口を開閉可能に覆う蓋体と、を備え、前記蓋体は、上部を構成する上部蓋枠体と、前記上部蓋枠体の下方周囲に配設され縦断面において略凹状に形成された下部蓋枠体と、を有し、前記上部枠体の上面は、前記衣類投入口に向けて下向きに傾斜し、前記下部蓋枠体の両側底面は、内方に向けて下向きに傾斜し、前記蓋体が閉状態において、前記上部枠体の上面と前記蓋体の底面との間には所定の隙間を有することにより、洗濯兼脱水槽内から排気される蒸気が結露し蓋体の裏側に付着した場合でも、結露水が洗濯機の外へ滴下することを抑制できる。
【００１０】
第２の発明は、特に、第１の発明の前記下部蓋枠体底面の外方端部が、前記蓋体が閉状態において、前記上部枠体の前記上面の外方端部よりも前記衣類投入口側に位置することにより、蓋体の外方端部から落下する結露水が、上部枠体上面に滴下されるため、結露水が機外に排出されることを抑制できる。
【００１１】
第３の発明は、特に、第１または第２の発明の前記上部枠体は、前記上面の内方端部から前記衣類投入口に向けて下向き傾斜面を有することにより、衣類投入口の開口を広くしつつ、上部枠体の上面に滴下した水滴が、傾斜面に従って内方側に流れ落ち、より確実に洗濯兼脱水槽内へ滴下させることができる。
【００１２】
第４の発明は、特に、第１〜３のいずれか１つの発明の前記下部蓋枠体底面の内方端部が、前記蓋体が閉状態において、前記上部枠体の前記上面の内方端部よりも前記衣類投入口側に位置することにより、蓋体の内方端部から落下する結露水が、衣類投入口内に流れ落ちるようにすることができる。
【００１３】
第５の発明は、特に、第１〜４のいずれか１つの発明の前記蓋体が、前記蓋体閉状態において、前方に向けて下向きに傾斜しており、前記隙間の幅は、前方から後方に向かって徐々に広くなることにより、洗濯兼脱水層内からの蒸気が、隙間の大きい後方の隙間から機外に逃がすことができるため、上部枠体前部に水滴が溜まり、水滴が溢れてしまうことを抑制できる。
【００１４】
第６の発明は、特に、第５の発明の前記蓋体が閉状態において、前記蓋体が閉状態において、前記下部蓋枠体と前記上部枠体の前記上面とが当接することにより、洗濯兼脱水層内からの蒸気を後方の隙間から機外に逃がすことができるため、上部枠体前部に水滴が溜まり、水滴が溢れてしまうことを抑制できる。
【００１５】
第７の発明は、特に、第１〜６のいずれか１つの発明の前記水槽及び前記洗濯兼脱水槽内の洗濯水を加熱するための加熱手段を前記水槽下部に設けることにより、加熱手段で熱せられた温水から生じる蒸気が結露し蓋体の裏側に付着した場合でも、結露水が洗濯機の外へ滴下することを抑制できる。
【００１６】
第８の発明は、特に、第１〜６のいずれか１つの発明の前記水槽および前記洗濯兼脱水槽内に温水を供給するよう構成することにより、供給された温水から生じる蒸気が結露し蓋体の裏側に付着した場合でも、結露水が洗濯機の外へ滴下することを抑制できる。
【００１７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、添付図面および以下の説明は、当業者が本会時を十分理解するために、提供されているのであって、これらにより、特許請求の範囲に記載の主題を限定することは意図されていない。
【００１９】
（実施の形態１）
以下、図１〜図５を用いて、実施の形態１を説明する。
【００２０】
［１−１．構成］
［１−１−１．洗濯機の構成］
図１は、実施の形態１における洗濯機の縦断面図である。
【００２１】
図１において、洗濯機の本体１１（筺体）は、内部に水槽１３をサスペンション１２により懸垂防振支持している。水槽１３の内部には、洗濯槽と脱水槽を兼ねた洗濯兼脱水槽１５が回転可能に設けられている。洗濯兼脱水槽１５の内底部には、パルセータ１９が回転自在に配設されている。
【００２２】
水槽１３の外底部には、伝達機構部２０が配設されている。伝達機構部２０は、内部に洗濯時の減速ギア（図示せず）、洗濯・脱水軸１４の切り換えクラッチ（図示せず）、および洗濯兼脱水槽１５を停止するためのブレーキ（図示せず）を内蔵している。
【００２３】
水槽１３の外底部にはモータ２１が取り付けられており、モータ２１にはモータ側プーリ２２が取り付けられている。洗濯・脱水軸１４にはメカ側プーリ２３が連結しており、モータ側プーリ２２とメカ側プーリ２３は、ベルト２４により互いに連結されている。上記構成により、モータ２１の動力は、ベルト２４を介して洗濯・脱水軸１４に伝達する。また、切り替えクラッチを制御することで、モータ２１を用いて、パルセータ１９が回転したり、パルセータ１９および洗濯兼脱水槽１５を同時に回転したりしている。
【００２４】
洗濯機の本体１１の上部には、上部枠体２５を配している。上部枠体２５の略中央部には、洗濯兼脱水槽１５と外部とを連通するための洗濯物投入取出口２６を形成し、洗濯物投入取出口２６は蓋体２７にて開閉自在に覆われている。上部枠体２５の後方側の上部には、制御装置２８が配設されており、制御装置２８の上部は、各種の入力設定を行ない、設定内容を表示する操作パネル２９により覆われている。上部枠体２５の後方側の内部には、電磁力により開閉可能な給水弁３０や注水ケース３１等を有している。
【００２５】
制御装置２８は、モータ２１等を制御し、洗い、すすぎ、脱水の一連の工程を逐次制御する制御手段（図示せず）を有している。
【００２６】
水槽１３の外底部には、加熱水生成装置３２が取り付けられている。加熱水生成装置３２には、洗濯水を加熱するヒータ（図示せず）等が設けられている。水槽１３と加熱水生成装置３２は、流入経路（図示せず）及び流出経路（図示せず）を介して連通接続されている。
【００２７】
［１−１−２．蓋体、及び上部枠体の構成］
図２は、本実施の形態１における洗濯機の上部枠体と蓋体の要部前後縦断面図、図３は、本実施の形態１における洗濯機の上部枠体と蓋体の要部前後縦断面図、図４は、図３の
要部拡大図、図５は、本実施の形態１における洗濯機の上部枠体と蓋体の上面図、図６は、本実施の形態１における洗濯機の上部枠体と蓋体の側面図である。
【００２８】
上部枠体２５は、図３に示すように、洗濯物投入取出口２６を基点として上方に向けて外方へ広がるよう形成されている。上部枠体２５は、上面２５ｂが前方へ向けて下向きに傾斜している。図２、図３に示すように、上部枠体２５の上面２５ｂの前部および両側部は、内方に向けて下方に傾斜している。上部枠体２５は、上面２５ｂの内方端部２５ｃから洗濯物投入取出口２６側へ向けて傾斜面２５ａを有する。
【００２９】
蓋体２７は、図２に示すように、洗濯物投入取出口２６を覆うように開閉可能に設けられている。図１、図２、図６に示すように、蓋体２７は、前方へ向けて下方に傾斜している。蓋体２７は、上部を構成する上部蓋枠体２７ａと、上部蓋枠体２７ａの前部、後部、及び両側部に下方から取り付けられ縦断面において略凹状形状の下部蓋枠体２７ｂと、ガラス板２７ｃとから構成される。
【００３０】
下部蓋枠体２７ｂは、蓋体２７が閉状態において、上部枠体２５の上面２５ｂの上方に位置する。下部蓋枠体２７ｂの外周面３７は、上部蓋枠体２７ａの下端２７ｆと当接する位置から外方端部２７ｄへ向けて内方側へ傾斜している。図３に示すように、下部蓋枠体２７ｂ両側の底面３６は、内方に向けて下方に傾斜する傾斜している。
【００３１】
図６に示すように、上面２５ｂの前部には、第１のスペーサ３５ａが設けられている。上面２５ｂ両側の後方には、第２のスペーサ３５ｂが設けられている。第１のスペーサ３５ａ及び第２のスペーサ３５ｂは、ゴム体により構成されてもよいし、合成樹脂などで構成されていてもよい。
【００３２】
蓋体２７が閉状態では、下部蓋枠体２７ｂの底面３６は、第１のスペーサ３５ａ及び第２のスペーサ３５ｂに支持される。このため、図６に示すように、上面２５ｂと底面３６との間には隙間Ｓが形成される。ここで、前方の隙間Ｓ１から後方の隙間Ｓ２に向かって隙間幅が徐々に大きくなるよう構成されている。
【００３３】
図５に示すように、本体１１の背面には、給水用孔４１と給湯用孔４２が設けられている。
【００３４】
［１−２．洗濯機の運転動作］
次に、本実施の形態の洗濯機の運転動作を説明する。
【００３５】
使用者は、蓋体２７を開け、衣類を洗濯物投入取出口２６から洗濯兼脱水槽１５内に投入し、蓋体２７を閉め、操作パネル２９を操作して温水洗濯コースを開始する。
【００３６】
洗い工程が開始されると、給水弁３０が開き、水が注水ケース３１から水槽１３内に注水される。注水された水は、水槽１３底部の流入経路から加熱水生成装置３２内へ流入する。
【００３７】
ここで温水洗濯コースでは、ヒータによる加熱水での洗い工程の終了後、すすぎ、脱水の工程を実行する。
【００３８】
温水洗濯コースでは、水槽１３への注水により水槽１３内の水が所定の水位に達すると、加熱水生成装置３２のヒータがＯＮされる。水槽１３内の洗濯水は、流入経路を経由して加熱水生成装置３２内へ流入する。加熱水生成装置３２内に流入した洗濯水は、ヒータにより加熱される。ヒータにより加熱された洗濯水は、流出経路に導かれ、水槽１３内に
放出される。上記方法により、水槽１３内の洗濯水を所定の水温まで上昇させる。なお、一定時間ごとにパルセータ１９を回転させることにより、水槽１３内の洗濯水を撹拌できるため、水槽１３内の水温を略均一にすることができる。
【００３９】
温水洗濯コースは、洗い工程、すすぎ、脱水の工程を経て終了する。なお、温水洗濯コースを選択しない従来の洗濯コースの場合では、洗濯水がヒータにより加熱されることなく、洗い、すすぎ、脱水工程を実行する。
【００４０】
特に、冬期の低温多湿の環境下では、温水洗濯コースを実行中、洗濯兼脱水槽１５内の加熱された洗濯水から蒸気が生じる。洗濯水から生じた蒸気は、上部枠体２５上面と下部蓋枠体２７ｂの間の隙間Ｓから本体１１の外部へ逃がすことができる。隙間Ｓから本体１１の外部へ排気される蒸気は、結露し、下部蓋枠体２７ｂの底面３６に付着する。
【００４１】
［１−３．下部蓋枠体の底面に付着した結露水の流れ］
下部蓋枠体２７ｂの底面３６に付着した結露水は、前方に向けて流れながら内方へ流れ落ち、上部枠体２５の上面２５ｂ及び傾斜面２５ａに滴下する。図２、図３に示すように、上面２５ｂの前部及び両側部は、内方に向けて下向きに傾斜しているため、底面３６から上面２５ｂに滴下した水滴は、前方に向けて流れながら洗濯物投入取出口２６側（内方側）に向けて流れ落ちる。これにより、上部枠体２５上面に滴下した水滴が、本体１１の外部へ滴下することを防止でき、使用者に不快感を与えないようにすることができる。
【００４２】
また、水滴が本体１１の外部へ滴下することを抑制しつつ、蓋体２７のサイズを上部枠体２５と略同一のサイズにすることができる。このため、使用者に不快感を与えないでデザイン性の高い蓋体を構成することができる。
【００４３】
また、前方の隙間Ｓ１から後方の隙間Ｓ２に向けて隙間幅が徐々に大きくなるよう構成することにより、温水から生じる蒸気は、主に後方の隙間Ｓ２から機外に排出される。このため、温水による蒸気が本体１１の前部からは排出されないため、使用者に蒸気が当たることを抑制でき、使用者に不快感を与えないようにすることができる。
【００４４】
なお、本発明は、蓋体２７が閉状態において、底面３６前部と上面２５ｂとが当接し、蓋体２７に向けて隙間幅が徐々に拡がる構成であってもよい。
【００４５】
図４に示すように、底面３６の内方端部２７ｅは、上面２５ｂの内方端部２５ｃよりも洗濯物投入取出口２６側に位置する。上記構成により、底面３６に付着した水滴が傾斜に沿って内方側に流れ、底面３６の内方端部２７ｅから洗濯物投入取出口２６へ流れ落ちる。これにより、底面３６に付着した水滴が本体１１の外部へ滴下されることを防止できる。
【００４６】
図４に示すように、底面３６の外方端部２７ｄは、上面２５ｂの外方端部２５ｄよりも洗濯物投入取出口２６側に位置する。上記構成により、底面３６に付着した水滴が本体１１の外部へ滴下することを防止できる。なお、上面２５ｂが途中から内方に向けて下向きに傾斜している構成であっても、底面３６の外方端部２７ｄが、上面２５ｂの最上部よりも内方側に位置していれば、同様の効果を奏することができる。
【００４７】
図４に示すように、上部枠体２５は、上面２５ｂの内方端部２５ｃから洗濯物投入取出口２６側へ向けて傾斜面２５ａを有する。上記構成により、洗濯物投入取出口２６の開口を広くしつつ、上部枠体２５の上面に滴下した水滴が、傾斜面２５ａに従って内方側に流れ落ちることで、水滴をより確実に洗濯兼脱水槽１５内に滴下させることができる。
【００４８】
また、給湯用孔４２から温水を供給して温水洗濯をする構成であっても同様の効果を得ることができる。
【００４９】
なお、本実施の形態では、蓋体２７は前方へ向けて下向きに傾斜した構成で説明したが、本発明はこれに限られず、蓋体２７が略水平に構成されてもよい。
【産業上の利用可能性】
【００５０】
以上のように、本発明にかかる洗濯機は、上部枠体の内側や蓋体の裏側に付着した結露が、機外に滴下しないようにすることで、使用者に不快感を与えないようにすることができるので、温水による洗濯機能を備えた洗濯機等として有用である。
【符号の説明】
【００５１】
１１  本体（筺体）
１３  水槽
１５  洗濯兼脱水槽
２５  上部枠体
２５ａ  傾斜面
２６  洗濯物投入取出口（衣類投入口）
２７  蓋体
２７ａ  上部蓋枠体
２７ｂ  下部蓋枠体
２９  操作パネル
３２  加熱水生成装置（加熱手段）
【図１】
2018117822.tif 000003
【図２】
2018117822.tif 000004
【図３】
2018117822.tif 000005
【図４】
2018117822.tif 000006
【図５】
2018117822.tif 000007
【図６】
2018117822.tif 000008